(57)【要約】【課題】  先行文献では、ハウスに設置したシャッターに、防虫用のネットを付設して防虫を意図する構造は見当たらなかった。しかし、建物用の換気扇に関して、ネットを着脱自在に設ける発明がある。文献（1）は、換気フードであり、換気フードの本体部に設けた空気通路に、防虫ネットを設けた構成であり、防虫の侵入を回避する。また文献（2）は、換気ガラリであり、外壁の開口部に防虫ネットを設けた構成であり、防虫の侵入を回避する。【構成】  本発明は、枠体に設けた支持板と、支持板に適宜間隔で取付け金具を介して多数枚枢着したシャッタープレートとで構成したシャッター部と、駆動部とで構成してなる農事用、建屋用シャッターで、シャッター部とハウスとの間にスペースに設けた枠体に設けた折畳み式のネットとで構成したネット部を配し、ネットの折畳み方向を、シャッタープレートの開放方向と直交する構成とした。【選択図】      図1
2005140448.tif 000002
【特許請求の範囲】
【請求項１】
建屋の取付け用枠又は壁面に支持されるネット部及びシャッター部とで構成した防虫ネット付き農事用、建屋用シャッターであって、
前記ネット部を、ネット用枠体と、このネット用枠体に設けた折畳み式のネットとで構成し、
また前記シャッター部を、シャッター枠に設けたシャッタープレート支持板と、この支持板に枢支した取付け金具を介して前記シャッター枠に適宜間隔で多数枚枢着した開閉自在のシャッタープレートと、この各シャッタープレートを連動する支持部と、この各シャッタープレートを駆動する駆動部とで構成し、
前記ネット部に設けたネットの折畳み方向を、前記シャッタープレートの開放方向と少なくとも直交することを特徴とした防虫ネット付き農事用、建屋用シャッター。
【請求項２】
建屋の取付け用枠又は壁面に支持されるネット部及びシャッター部とで構成した防虫ネット付き農事用、建屋用シャッターであって、
前記ネット部を、ネット用枠体と、このネット用枠体に設けた折畳み式のネットとで構成し、
また前記シャッター部を、シャッター枠に設けたシャッタープレート支持板と、この支持板に枢支した取付け金具を介して前記シャッター枠に適宜間隔で多数枚枢着した開閉自在のシャッタープレートと、この各シャッタープレートを連動する支持部とで構成し、
前記ネット部に設けたネットの折畳み方向を、前記シャッタープレートの開放方向と少なくとも直交することを特徴とした防虫ネット付き農事用、建屋用シャッター。
【請求項３】
請求項1又は請求項2のネットの折畳みを、ネット用枠体の上下側に設けた折畳み嵌合部を利用して折畳み構成することを特徴とした防虫ネット付き農事用、建屋用シャッター。
【請求項４】
請求項1又は請求項2のネット用枠体に、ネットを折畳み、このネットの通風開口で必要とする開口面積を形成することを特徴とした防虫ネット付き農事用、建屋用シャッター。
【請求項５】
請求項1又は請求項2に記載のネット用枠体を、シャッター枠と同じ寸法とすることを特徴とした防虫ネット付き農事用、建屋用シャッター。
【請求項６】
請求項1又は請求項2に記載のネット用枠体の上下側に設けた折畳み嵌合部を利用して、ネットを着脱自在に張装することを特徴とした防虫ネット付き農事用、建屋用シャッター。
【発明の詳細な説明】
【技術分野】
【０００１】
本発明は、防虫ネット付き農事用、建屋用シャッターに関する。
【背景技術】
【０００２】
ハウス栽培を始めとして、露地栽培、マルチ栽培、トンネル栽培等で耕作される農作物に被害を与える害虫の区分は必ずしも明確でない。しかし、少なくとも我々が防除の対象とする害虫は、生産物に容認できない影響を及ぼすものであり、例えば、：作物のある部分を食べて、あるいは収穫部位へ転流する養分を掠めとって収量を落とすもの、：また収穫物に傷を与えて見かけの品質を落とすもの等が挙げられる。：さらに農作物に寄生しても実害を与えない昆虫も少なくないが、これらの昆虫も環境の変化で重要な害虫になる可能性があり、潜在的な害虫とみなされる。：尚、害虫ではないが、農作物を荒らすものとして、他には、小鳥、或いは小動物、またダニ、軟体動物であるナメクジ類、線形動物であるセンチュウ類等もあり得る。
【０００３】
また農作物の害虫を正確に知ることは防除に成功する前提である。しかし、害虫に対する知識は一般に高いとはいえず、また圃場で害虫の種類を正確に判断することは容易なことではない。従って、農薬及び／又は防除を間違った、または無駄な農薬散布及び／又は防除が行われ、思わぬ被害を受ける事例も少なくない。また環境破壊の問題も発生している。
【０００４】
そして、害虫による加害の一例としては、：「1」咀しゃくによる加害では、咀しゃく口を持った害虫は、かんだり、かじったりして作物を加害する。例えば、害虫の摂食習性により外部から食うものと、内部を食うものに分けられる。また外部を食う場合は、芽、葉、花、穂、種子、果実、幹、枝、茎、根等にいろいろな形の食痕を残す。さらに内部を食う場合は、果実や茎の内部に特異な食痕を残すが、普通は外部からは見られない。例えば、葉肉を食う潜葉性害虫の食痕は、円状、斑点状、帯状、らせん状等が外部から見える。また内部に食い込んで食痕がわからない場合は、食い込んだ孔や虫糞を出したりして加害された茎であることがわかる。：「2」吸収による加害では、吸収口を持った害虫は、作物に口吻を差し込んで組織から汁液を吸う。害虫によって加害組織は異なり、加害部位や吸収方法によって作物に与える影響も違う。ウンカ類は篩管部から吸汁するが、カメムシ類は口針で組織を破壊して汁液を吸収する。いずれの場合も害虫が吸汁するのに唾液鞘を作る。また害虫の吸汁によって作物全体が衰弱すること、作物に毒素となる物質を唾液とともに注入し、例えば、マキバメクラガメがテンサイを吸汁すると、吸汁部位は奇形となりそこから先の葉は黄化する。尚、カボチャでは成熟期の果実が吸汁されると、その部分が瘤状に隆起する。：「3」舐食による加害は、咀しゃくと吸収の中間的なものとなる。アザミウマ類では作物の表皮組織をつつき砕き、しみ出る汁液をなめ取る方法で摂食することで、作物は、葉緑素を失い白い斑点となる。幼果の時に加害されると、果実の肥大とともに斑点が大きくなり、傷果となる。：「4」産卵による加害では、作物体内に卵を産み込む害虫があり、産卵の時に作物に傷を付ける場合がある。例えば、ムギクロハモグリバエは産卵管で葉の表面に傷を付け、その中に卵を産み込むため、葉の表面に葉脈に沿って白い条がつく。：「5」異常生長を起こす加害では、作物の芽、葉、茎、根等に害虫が産卵し、組織内で幼虫が生育を始めると、その部分の細胞が異常に増殖し、瘤状の虫えいと呼ばれる状況となる。：「6」病気を伝播させる加害では、害虫の直接加害はほとんど問題にならない。しかし、病原体の伝播で作物が致命的な被害を受ける場合がある。例えば、吸汁性害虫によるウィルスの媒介で、イネ縞葉枯病、ジャガイモの葉捲病、野菜のモザイク病等がある。また害虫の分類には形態的特徴のほか、寄主植物、加害部位、加害状況、加害時期等も既知の害虫を判別する場合には重要なポイントとなる。
【０００５】
一方で、戦後の食糧増産を目指した近代農業での病害虫防除の主な目的が、生産性の安定と品質向上にある。その手段として農薬は大きな役割を果たしてきた。例えば、病害虫の発生を助長するような密植で、多肥といった積極的な多収穫栽培技術は、農薬で病害虫を確実に防除できるという考えが根底にあった。また消費者が求める質の良い品種で、かつ姿のよいものを普及させるためには農薬による防除は必要であった。この農薬の必要性の誤解、農薬が安価に手に入ること、また防除が簡便であること、さらに安定した収穫成果を達成する害虫防除は、単に殺虫剤等の農薬を散布すれば事足りるという安易な考え方が定着し、また農薬による害虫防除が有効であるとの姿勢に変化した。この害虫の発生状況を無視したスケジュール防除と、安易な防除と、また農薬の過剰な使用が生じた結果、例えば、害虫の殺虫剤抵抗性の発達、天敵や競争種の激減、環境や食品での農薬残留、野生動物への影響等種々の弊害が生じてきている。
【０００６】
このように、「農薬一辺倒」とか「農薬万能主義」と問題視されながら、依然として農薬を中心とした現在の防除手法が定着している背景には、この手法が最も高い経済効果をもたらすという誤解が、その根底に存在するものと考えられる。例えば、一つの新農薬を開発するのに数十億円という巨額な費用が必要とされることであるが、石油資源も将来的には有限であり、地球規模での環境問題が論議されている現在、農薬依存の害虫防除は技術的にも、経済的にも方向転換を求められている。
【０００７】
また害虫の加害から作物を保護することは経済的行為である。経済的に許容できる水準まで害虫の発生を抑制できればよく、害虫を撲滅する必要はない。従って、この種の防除を、農薬による害虫防除に頼らず、農薬を含めたいろいろな防除手段を有機的に組合せて、害虫の発生や被害を経済的に許容できる水準以下に抑えようという考え方（総合防除）が、1960年代に生まれ、害虫防除の基本的考え方として取り入れられている。そして、最近では、この考えを発展させて、害虫の発生に関与する要因、防除手段、作物の生育等と害虫の発生や被害の関係をシステムモデル化し、いつ、どんな防除手段が最適かという方向、即ち、害虫を制御するということから管理するという考え方へ進んできている。そして、一部の地域では、実践されつつある。
【０００８】
また他の側面としては、誘引剤や忌避剤，害虫の脱皮や成長を阻害する成育調節剤，摂食行動，配偶行動，産卵行動などいろいろな害虫の行動を抑制する行動制御剤などが実用化されている。この各種薬剤の安全性の確認も、必ずしも十分とはいえないところである。そして、近時、輸入野菜、果物等の輸入農作物では、多種の農薬及び／又は薬剤等の使用と、農薬等の判別が困難であること、さらには遺伝子組換え農作物の危険性等から、国内における無農薬栽培、又は国内産の農作物が必要不可欠な状況になりつつある。
【０００９】
上記に鑑み、近時、ハウスの全体を完全密閉し、農薬等（以下農薬とする）を略０にすること、害虫防除をネットによるハウス内への害虫の侵入禁止を介して図ること、また無農薬栽培を図ること、食の安全性の確保と、環境保護を図ること等を意図する。そして、現代農業の改革と、この改革を従来の基材、機器、又は施設（例えば、シャッター及び／又は建屋）を有効利用して達成すること、さらに外国依存の農作物の国内移行を達成することを最終目的とすることを意図する。
【００１０】
本出願に際して、先行文献を調査したが、その調査の範囲内では、本発明が意図するこの種のハウスに設置したシャッターに、防虫用のネットを付設し、このネットを利用して防虫を意図する構造は見当たらなかった。しかし、建物用の換気扇（ガラリ）に関して、ネットを着脱自在に設ける文献がある。その文献（1）は、特開平10-160218号の換気フードであり、この換気フードの本体部に設けた空気通路に、防虫ネットを設けた構成であり、防虫の侵入を回避することに有る。また文献（2）は、特開2001-234675の換気ガラリであり、外壁の開口部に防虫ネットを設けた構成であり、防虫の侵入を回避することに有る。
【００１１】
【特許文献１】特開平10-160218号
【特許文献２】特開2001-234675
【発明の開示】
【発明が解決しようとする課題】
【００１２】
文献（1）、（2）は、防虫用のネット又は防虫ネット（防虫ネットとする）を付設した構成であるが、基本である防虫ネットを通過する空気量に関して、何ら配慮されていないことから、換気及び／又は外気の付与等に問題を残す。殊に、本発明の如く、所定量の空気を吸込み、かつハウス内（温室内等の室内）の作物に十分な外気を付与（送風）することを意図する装置には、不向きである。
【００１３】
また（1）、（2）は、従来の換気フード、換気ガラリに改良を加えた構成であるので、各部材の汎用性の向上、コストの削減化が図れないこと、又は製造装置の有効利用には、幾分改良すべき課題が有る。
【００１４】
さらに（1）、（2）の構造では、本発明が意図するシャッタープレートを備えたシャッター部と、防虫ネットを備えたネット部との組合せ構造を採用することは不可能であり、構造上での共通性、また利用分野の共通性はない。
【００１５】
そして、本出願人は、前述の改良と、この種の農業の将来性を考慮して、植物栽培用施設とその方法を提案する。その概要は、ハウスの一方の壁面大分部に、防虫ネットを配し、その他方の壁面に数台のシャッターを配した構造である。そして、ハウス全体に外気を取入れ、温室内の空気の略均一な流れと、温度及び／又は湿度管理を図って、生育環境の向上を図る。この発明は、コストの削減化、雨天、曇天等の悪条件でも、前記温度及び／又は湿度管理が図れること等の特徴がある。
【００１６】
しかし、この発明は、構造の大型化を招来し、簡易的に設置することの困難性が考えられる。またこの発明は、構造上よりして大型のハウス（温室を含む）に適する反面、小型のハウスへの転用には、困難性があり、汎用的な機構としては、改良の余地が有る。
【課題を解決するための手段】
【００１７】
請求項1の発明は、シャッターとしての空気量を確保し、かつネット（防虫ネット）による圧損及び／又は騒音回避を図ること、又は目詰まりの解消と、電力消費の軽減化を図ること等を意図する。そして、従来のシャッター部及び／又はファン部（必要により）を変更することなく、ネット部に装置すること、またこれによって、各部材の汎用性の向上と、コストの削減化、又は製造装置の有効利用を図ること等を意図する。そして、本発明は、シャッター部とハウスの壁面とで構成されるスペースに設置して、ネット部の破損防止、シャッタープレートのスムーズな動きを確保すること等を意図する。さらにまた本発明は、シャッターの台数を適宜変更することで、大型のハウスから小型のハウスに至るまで、広く採用できる防虫ネット付き農事用、建屋用シャッターの提供を意図する。尚、この害虫の防除により、農薬使用を軽減して、健康管理と、コストの削減化、安全な農作物の提供を図ること等を意図する。
【００１８】
請求項1は、建屋の取付け用枠又は壁面に支持されるネット部及びシャッター部とで構成した防虫ネット付き農事用、建屋用シャッターであって、
前記ネット部を、ネット用枠体と、このネット用枠体に設けた折畳み式のネットとで構成し、
また前記シャッター部を、シャッター枠に設けたシャッタープレート支持板と、この支持板に枢支した取付け金具を介して前記シャッター枠に適宜間隔で多数枚枢着した開閉自在のシャッタープレートと、この各シャッタープレートを連動する支持部と、この各シャッタープレートを駆動する駆動部とで構成し、
前記ネット部に設けたネットの折畳み方向を、前記シャッタープレートの開放方向と少なくとも直交することを特徴とした防虫ネット付き農事用、建屋用シャッターである。
【００１９】
請求項2の発明は、請求項1と同じ目的を達成することと、駆動部を備えない風圧シャッターにも採用できる構造の提供と、またシャッターのバタツキ防止に役立つ防虫ネット付き農事用、建屋用シャッターを提供する。
【００２０】
請求項2は、建屋の取付け用枠又は壁面に支持されるネット部及びシャッター部とで構成した防虫ネット付き農事用、建屋用シャッターであって、
前記ネット部を、ネット用枠体と、このネット用枠体に設けた折畳み式のネットとで構成し、
また前記シャッター部を、シャッター枠に設けたシャッタープレート支持板と、この支持板に枢支した取付け金具を介して前記シャッター枠に適宜間隔で多数枚枢着した開閉自在のシャッタープレートと、この各シャッタープレートを連動する支持部とで構成し、
前記ネット部に設けたネットの折畳み方向を、前記シャッタープレートの開放方向と少なくとも直交することを特徴とした防虫ネット付き農事用、建屋用シャッターである。
【００２１】
請求項3の発明は、請求項1の目的を達成すること、及びその目的を達成するに最適なネットの折畳み方法の提供を意図する。
【００２２】
請求項3は、請求項1又は請求項2のネットの折畳みを、ネット用枠体の上下側に設けた折畳み嵌合部を利用して折畳み構成することを特徴とした防虫ネット付き農事用、建屋用シャッターである。
【００２３】
請求項4の発明は、請求項1の目的を達成すること、及びその目的を達成するに最適なネットの開口面積を確保することを意図する。
【００２４】
請求項4は、請求項1又は請求項2のネット用枠体に、ネットを折畳み、このネットの通風開口で必要とする開口面積を形成することを特徴とした防虫ネット付き農事用、建屋用シャッターである。
【００２５】
請求項5の発明は、ネット用枠体を、シャッター部の枠体と同じ寸法として、確実な設置と、取付けの容易化、防虫効果の向上と、防虫手段の簡略化等を意図する。
【００２６】
請求項5は、請求項1又は請求項2に記載のネット用枠体を、シャッター枠と同じ寸法とすることを特徴とした防虫ネット付き農事用、建屋用シャッターである。
【００２７】
請求項6の発明は、請求項2の目的を達成すること、及びその目的を達成するに最適なネットの張装方法の提供を意図する。
【００２８】
請求項6は、請求項1又は請求項2に記載のネット用枠体の上下側に設けた折畳み嵌合部を利用して、ネットを着脱自在に張装することを特徴とした防虫ネット付き農事用、建屋用シャッターである。
【発明の効果】
【００２９】
請求項1の発明は、建屋の取付け用枠又は壁面に支持されるネット部及びシャッター部とで構成した防虫ネット付き農事用、建屋用シャッターであって、ネット部を、ネット用枠体と、ネット用枠体に設けた折畳み式のネットとで構成し、またシャッター部を、シャッター枠に設けたシャッタープレート支持板と、支持板に枢支した取付け金具を介してシャッター枠に適宜間隔で多数枚枢着した開閉自在のシャッタープレートと、各シャッタープレートを連動する支持部と、各シャッタープレートを駆動する駆動部とで構成し、ネット部に設けたネットの折畳み方向を、シャッタープレートの開放方向と少なくとも直交することを特徴とした防虫ネット付き農事用、建屋用シャッターである。
【００３０】
従って、請求項1は、シャッターとしての空気量を確保し、かつネット（防虫ネット）による圧損及び／又は騒音回避を図れること、又は目詰まりの解消と、電力消費の軽減化を図れること等を意図する。そして、従来のシャッター部及び／又はファン部（必要により）を変更することなく、ネット部に装置できること、またこれによって、各部材の汎用性の向上と、コストの削減化、又は製造装置の有効利用を図れること等を意図する。そして、本発明は、シャッター部とハウスの壁面とで構成されるスペースに設置して、ネット部の破損防止、シャッタープレートのスムーズな動きを確保できること等を意図する。さらにまた本発明は、シャッターの台数を適宜変更することで、大型のハウスから小型のハウスに至るまで、広く採用できる防虫ネット付き農事用、建屋用シャッターを提供できる。尚、この害虫の防除により、農薬使用を軽減して、健康管理と、コストの削減化、安全な農作物の提供を図れること等を意図する。
【００３１】
請求項2の発明は、建屋の取付け用枠又は壁面に支持されるネット部及びシャッター部とで構成した防虫ネット付き農事用、建屋用シャッターであって、ネット部を、ネット用枠体と、ネット用枠体に設けた折畳み式のネットとで構成し、またシャッター部を、シャッター枠に設けたシャッタープレート支持板と、支持板に枢支した取付け金具を介して枠体に適宜間隔で多数枚枢着した開閉自在のシャッタープレートと、各シャッタープレートを連動する支持部とで構成し、ネット部に設けたネットの折畳み方向を、シャッタープレートの開放方向と少なくとも直交することを特徴とした防虫ネット付き農事用、建屋用シャッターである。
【００３２】
従って、請求項2は、請求項1と同じ目的を達成できることと、駆動部を備えない風圧シャッターにも採用できる構造の提供と、またシャッターのバタツキ防止に役立つ防虫ネット付き農事用、建屋用シャッターの提供ができること等の特徴がある。
【００３３】
請求項3の発明は、請求項1又は請求項2のネットの折畳みを、ネット用枠体の上下側に設けた折畳み嵌合部を利用して折畳み構成することを特徴とした防虫ネット付き農事用、建屋用シャッターである。
【００３４】
従って、請求項3は、請求項1の目的を達成できること、及びその目的を達成するに最適なネットの折畳み方法を提供できること等の特徴がある。
【００３５】
請求項4の発明は、請求項1又は請求項2のネット用枠体に、ネットを折畳み、ネットの通風開口で必要とする開口面積を形成することを特徴とした防虫ネット付き農事用、建屋用シャッターである。
【００３６】
従って、請求項4は、請求項1の目的を達成できること、及びその目的を達成するに最適なネットの開口面積を確保できること等の特徴がある。
【００３７】
請求項5の発明は、請求項1又は請求項2に記載のネット用枠体を、シャッター枠と同じ寸法とすることを特徴とした防虫ネット付き農事用、建屋用シャッターである。
【００３８】
従って、請求項5は、ネット用枠体を、シャッター部の枠体と同じ寸法として、確実な設置と、取付けの容易化、防虫効果の向上と、防虫手段の簡略化等が図れる特徴がある。
【００３９】
請求項6の発明は、請求項1又は請求項2に記載のネット用枠体の上下側に設けた折畳み嵌合部を利用して、ネットを着脱自在に張装することを特徴とした防虫ネット付き農事用、建屋用シャッターである。
【００４０】
従って、請求項6は、請求項2の目的を達成できること、及びその目的を達成するに最適なネットの張装方法を提供できること等の特徴がある。
【発明を実施するための最良の形態】
【００４１】
本発明の一例を説明する。
【００４２】
本発明の農事用、建屋用（家畜用の建屋、その他の建屋、農作業用の建屋等）シャッターの一例を説明すると、図1〜図6は電動シャッターを利用した防虫ネット付き農事用、建屋用シャッターを、また図7〜図9は風圧シャッターを利用した防虫ネット付き農事用、建屋用シャッターを、さらに図10〜図13はネット部の構成例の一部を、それぞれ示した図である。
【００４３】
図1〜図6の例では、シャッター部Aは、シャッター枠1と、このシャッター枠1に設けた支持板2を介してシャッター枠1に多数枚設けたシャッタープレート3とで構成されており、このシャッタープレート3は、取付け金具4を介して支持板2に可動自在に設けられる。そして、支持板2は、シャッター枠1に設けたモータ等の駆動部5の作用により上下動する。尚、駆動部5と支持板2を連動する機構は、従来と同様であり省略する（参考として、本出願人が提案する実公平6-4699号を参照する）。このシャッター枠1の一面（ハウス側、温室側、建屋側等の区画領域）には、ネット部Bが設けられる。このネット部Bは、前記シャッター枠1と同じ形態と寸法を備えており、例えば、前記シャッター枠1に、ワンタッチで着脱できる構造のネット用枠体6と、このネット用枠体6に設けたジグザグ形状（平面視して鋸形状を示すが、急・緩傾斜の襞形状、波形状、略蛇腹形状等の各種の曲げ形態を含む）のネット7とで構成する。このようにジグザグ形状とするのは、開口面積を確保するためである。そして、通常は、ネット部Bは、ハウスHの上方及び／又は下方の壁面H1と、シャッター枠1とで形成されるスペースCに取付ける場合と、またハウスHの上方及び／又は下方の取付け枠体H2に取付ける場合とが考えられる。従って、本発明は、設置場所、ハウスの形態、気候条件等を考慮して決定される構成である。この際に、前述の如く、シャッター枠1とネット用枠体6が、同じ形態と寸法を備えていることから、確実な取付けと、風圧によるネット部B及び／又はネット7への衝撃回避等に有効である。図中H3はハウスHのハウス枠柱を示す。この例では、シャッタープレート3の開閉は、駆動部5を介して支持板2を上下動し、この上下動を利用して行う。そして、開放時に、シャッタープレート3の水平方向（矢印Dで示す）より外気を導入し、この導入した外気を、ネット部Bの折畳み方向を利用して少なくとも天地方向（上下方向、矢印Eで示す）に方向変換して、外気拡散と広範囲への送風とが達成できる。勿論、ネット部Bの水平方向もあり得る。図中7aはネット7の目（孔）を示す。
【００４４】
図7〜図9の例では、シャッター部Aは、シャッター枠1と、このシャッター枠1に設けた支持板2を介してシャッター枠1に多数枚設けたシャッタープレート3とで構成されており、このシャッタープレート3は、取付け金具4を介して支持板2に可動自在に設けられる。そして、シャッタープレート3は、風圧を利用して開閉し、この開閉は支持板2を利用して一体的に行う構造となっている。即ち、他方側には吸込み用のファン（図示せず）と、開閉自在のシャッタープレート（図示せず）を有する。他は前述の例に準ずる。
【００４５】
前記ネット用枠体6にネット7を折畳み状に設ける方法としては、図10（イ）、（ロ）、（ハ）〜図13（イ）、（ロ）、（ハ）に示した一例が挙げられる。先ず、図10に示した（イ）、（ロ）、（ハ）は、少なくとも上下側に帯状、線状等の折畳み芯材70を設け、この折畳み芯材70を介してネット7を略襞状に折畳む構造（平面視して鋸形状を示すが、急・緩傾斜の襞形状、波形状、略蛇腹形状等の各種の曲げ形態でなる構造を含む）であり、十分な開口面積が確保できる。そして、外気を多数状の曲面で捉えて、このネット7及び／又はファン（必要により設ける）に対する抵抗の軽減と、外気拡散用の手段として利用できること等の利点がある。尚、ネット用枠体6への取付けは、止付け、接着、テープ取付け等を採用する。図中70aは折畳み芯材付きネットを示しており、一体構造であるが、折畳み芯材70をパーツ形態として、ネット7に後付けすることも可能であり、ネット7の取付け方は自由である。また図11に示した（イ）、（ロ）、（ハ）は、上下方向に張装した、少なくとも対峙位置に於いて、対で立設した丸棒、板材、ピアノ線71を介してネット7を略鋸歯形状に折畳む構造（前述と同じ）であり、十分な開口面積が確保できる。このピアノ線71で折畳んだ部位で、外気を拡散することを意図する。そして、風をネット7の傾斜面で捉えることで、外気の吸込み量の確保と、圧損回避が図れる特徴がある。図中71aはピアノ線付きネットを示す。そして、他は前述の例に準ずる。図12-1に示した（イ）、（ロ）は、ネット用枠体6を分割し、分割した枠体片6a、6bの対峙面に、嵌合面6a-1、6b-1を形成する。この嵌合面6a-1、6b-1の嵌合を利用してネット7を折畳む構造である。この例は簡易な取付けと、取替えの容易化、又は現場での修理等を意図する。尚、この嵌合面6a-1、6b-1の先端に、ネット7の折曲げ用の丸棒、板材、ピアノ線71を設ける例と、この丸棒、板材、ピアノ線71が無い例とが考えられる。何れも可能であり、また他の構成は、前述の例に準ずる。そして、ピアノ線71ありの例では、形状の安定性、取付けの容易化等が図れる。また無しの例では、経費の削減、低廉化等に寄与でき、簡易な設備に有効である。図12-2は図12-1の例を合体した斜視図である。さらに図13に示した（イ）〜（ハ）は、一面開口の袋体でなるネット72を、連続又は複数組合せてネット7を構成する例であり、例えば、連続又は単独等の袋体でなるネット7の重畳部72a（個別構造の例では）を押え具73で緊締して、袋体でなるネット72を連結することでネット7を構成する。そして、この押え具73は、ネット用枠体6の内面に設け、この押え具73に順次セットする簡易に取付け、取外しできる構成とすることが理想である。そして、この押え具73は、袋体でなるネット72が大きな開口面積を確保するために、略鋸歯形状に折畳む構造（前述と同じ）とする。そして、この例では、袋体でなるネット72を単一で取替え等ができる特徴がある。他は前述の例に準ずる。何れにしても、所定の開口面積を確保できるネット7の構造であれば、どのような構造も可能である。尚、各例とも、ネット用枠体6が枠構造で、風の通路に対して略前面開口していることから、容易な組付け、分解、ネット7の取付け（カートリッジ式の取替えができる。他の例も同じ）等ができる構成である。
【００４６】
以上のような構成を採用することで、農薬に纏わるさまざまな弊害を解消し、安全で健康に有益な農作物・果物等を提供できること、また無農薬・減農薬による各農作物・同果実を提供できること等の特徴と、問題視されている輸入各農作物・同果実等との競合にも有利性を発揮できること、日本の農業に福音をもたらすこと等の実益がある。
【００４７】
また本発明では、ハウス内の空気の入れ替えが効率的に行えることから、例えば、高温及び／又は多湿等に起因する弊害・病気等の発生の回避と、高品質で美味な各農作物・同果実の提供、又は生育・味の揃った各農作物・同果実の提供とが図れる。そして、無農薬・減農薬による栽培を採用することで、例えば、土の入れ替え等の回数も少なくなり、コストの削減化、作業の容易化、環境の維持管理と、将来の農業に役立つ等の実益も有り得る。
【００４８】
次に、本出願人が、多年に亙って、多数台製造販売しているシャッターに、本発明のネット部Bを付設し、ハウスに必要とする風量とを経験則を利用して算出したので、専門的な立場より説明する。
＜風量計算に関しての一例＞
「イ」  試験用ネット（試験ネットとする）：合目（目開き）0.4mm、線径0.1〜0.2mmの素材とし、その開口率は約45％とする。
「ロ」  羽根径1mの農業用換気扇1台当りの風量＝300m3／min
「ハ」  ロの風量を1m角の面に流すときの風速は
v＝Q／60A      （風速m／s＝風量m3／s÷空気通過面積m2）・・・X
で求められる。
上式により  v＝300／（60×1）＝5m／s  となるのだが、今回の試験ネットを使用した場合には、開口率が45％程度なので
X＝縦（1m）×横（1m）×0.45  ・・・Y  となり、
1m角中の空気通過面積は、X＝0.45m2となり、
風速  v＝300／（60×0.45）＝11.1m／s  となる。
「ニ」  風速11m／sで吸排気を行った場合、余分なゴミやホコリを吸うだけでなく、小さな虫等も網目に入りこむ危険性がある。例えば、「ニ-1」試験ネットの交換や掃除回数が増す＋圧損が起こり余分な電力を必要とすること、また換気不足になり病傷害が発生する可能性が有る。しかし、他の工業用のフィルターを採用したと仮定すると、同じく圧力損失上、通過風圧を0.5（〜1）m／sとしている。
「ホ」  以上の如く、今回の試験ネットの場合において、縦1.5mの試験ネットで、風速0.5m／sにしようとすると、上記X・Y式より、
X＝Q／60v
1.5×横×0.45＝300／（60×0.5）
横＝300／（60×0.5×1.5×0.45）＝14.8m  となり、
このように、換気扇1台当り、1.5m×14.8mの試験ネットを設けることは困難で、前記の「ニ」「ニ-1」のようなことも考えられるので、一考を要する。尚、試験ネットの定尺巾は、1.5〜1.8mの種類が考えられるので、この中より適宜採用する。
【図面の簡単な説明】
【００４９】
【図１】本発明の電動シャッターをハウスに取付けた状態の正面図
【図２】図1の例におけるシャッターの一部欠截の拡大正面図
【図３】図1の例におけるネット部の一例を示した一部欠截の拡大側面図
【図４】図1の例におけるシャッターの取付け状態の拡大側面図
【図５】図1の例におけるシャッターの他の取付け状態の拡大側面図
【図６】本発明のシャッターの一例を示した拡大平面図
【図７】本発明の風圧シャッターをハウスに取付けた状態の正面図
【図８】図7の例におけるシャッターの取付け状態の側面図
【図９】図1の例におけるシャッターの取付け状態の拡大側面図
【図１０】（イ）〜（ハ）は折畳み式のネット部の他の一例を示しており、（イ）は正面模式図、（ロ）は平面俯瞰図、（ハ）は（イ）の要部の拡大模式図
【図１１】（イ）〜（ハ）は折畳み式のネット部のさらに他の一例を示しており、（イ）は全体の模式図、（ロ）はこのネット部の平面模式図、（ハ）は（ロ）の要部の拡大平面図
【図１２−１】（イ）、（ロ）は折畳み式のネット部の別のそれぞれ一例を示しており、（イ）はこの例における一例の分解斜視図、（ロ）はこの例における他の一例の分解斜視図
【図１２−２】（ハ）は図１２−１の（イ）、（ロ）の組立て模式図
【図１３】（イ）〜（ハ）は折畳み式のネット部のさらに別の一例を示しており、（イ）は正面模式図、（ロ）は分解斜視図、（ハ）は（イ）の要部の拡大模式図
【符号の説明】
【００５０】
A            シャッター部
B            ネット部
C            スペース
H            ハウス
H1           壁面
H2           取付け枠体
H3           ハウス枠柱
1            シャッター枠
2            支持板
3            シャッタープレート
4            金具
5            駆動部
6            ネット用枠体
6a           枠体片
6a-1         嵌合面
6b           枠体片
6b-1         嵌合面
7            ネット
70           折畳み芯材
70a          折畳み芯材付きネット
71           ピアノ線
71a          ピアノ線付きネット
72           袋体でなるネット
72a          重畳部
73           押え具
D            水平方向
E            天地方向
【図１】
2005140448.tif 000003
【図２】
2005140448.tif 000004
【図３】
2005140448.tif 000005
【図４】
2005140448.tif 000006
【図５】
2005140448.tif 000007
【図６】
2005140448.tif 000008
【図７】
2005140448.tif 000009
【図８】
2005140448.tif 000010
【図９】
2005140448.tif 000011
【図１０】
2005140448.tif 000012
【図１１】
2005140448.tif 000013
【図１２−１】
2005140448.tif 000014
【図１２−２】
2005140448.tif 000015
【図１３】
2005140448.tif 000016